(57)【要約】【課題】  各アプリケーションの実行に伴って自動登録された設定データと、ユーザが各アプリケーションに設定した設定データとを同時に表示して、ユーザが設定データの内容を確認しながら設定データを選択する。【解決手段】    特定の機能に対応づけた複数のアプリケーションを備える画像処理装置において、いずれかのアプリケーションに対応づけて記憶手段に自動登録された第１の設定データを呼び出す第１のボタン群と、ユーザによる登録指示に従い、いずれかのアプリケーションに対応づけて記憶手段に登録された第２の設定データを呼び出す第２のボタン群とを含む呼出し設定画面を表示手段に表示する構成を特徴とする。【選択図】  図８
2018133091.tif 000002
【特許請求の範囲】
【請求項１】
複数の機能を有するジョブ処理装置であって、
第１の機能に対応する第１のタイプのジョブ及び第２の機能に対応する第２のタイプのジョブを実行する実行手段と、
前記第１のタイプのジョブの実行に従って、前記第１のタイプのジョブの設定データを記憶部に登録する第１の登録手段と、
前記第２のタイプのジョブの実行に従って、前記第２のタイプのジョブの設定データを前記記憶部に登録する第２の登録手段と、
前記第１の機能を呼び出すための第１のオブジェクトと、前記第２の機能を呼び出すための第２のオブジェクトを表示する表示手段とを有し、
前記表示手段は、さらに、前記記憶部に登録された前記第１のタイプのジョブの設定データを呼び出すための第３のオブジェクトと、前記記憶部に登録された前記第２のタイプのジョブの設定データを呼び出すための第４のオブジェクトとをさらに表示し、
前記第１のオブジェクト、前記第２のオブジェクト、前記第３のオブジェクト、及び前記第４のオブジェクトは、同じ画面に表示されることを特徴とするジョブ処理装置。
【請求項２】
前記第１のオブジェクトの形状と、前記第３のオブジェクトの形状が異なることを特徴とする請求項１記載のジョブ処理装置。
【請求項３】
第１のアイコンが前記第１のオブジェクト上に表示され、前記第１のアイコンとは異なる第２のアイコンが前記第２のオブジェクト上に表示されることを特徴とする請求項１または２に記載のジョブ処理装置。
【請求項４】
第３のアイコンが前記第３のオブジェクト上に表示され、前記第３のアイコンとは異なる第４のアイコンが前記第４のオブジェクト上に表示されることを特徴とする請求項１乃至３のいずれか１項に記載のジョブ処理装置。
【請求項５】
前記第１のタイプのジョブの設定データの少なくとも１部は、前記第３のオブジェクト上に表示されることを特徴とする請求項１乃至４のいずれか１項に記載のジョブ処理装置。
【請求項６】
前記第２のタイプのジョブの設定データの少なくとも１部は、前記第４のオブジェクト上に表示されることを特徴とする請求項１乃至５のいずれか１項に記載のジョブ処理装置。
【請求項７】
複数の機能を有するジョブ処理装置の制御方法であって、
第１の機能に対応する第１のタイプのジョブ及び第２の機能に対応する第２のタイプのジョブを実行する実行工程と、
前記第１のタイプのジョブの実行に従って、前記第１のタイプのジョブの設定データを記憶部に登録する第１の登録工程と、
前記第２のタイプのジョブの実行に従って、前記第２のタイプのジョブの設定データを前記記憶部に登録する第２の登録工程と、
前記第１の機能を呼び出すための第１のオブジェクトと、前記第２の機能を呼び出すための第２のオブジェクトを表示する表示工程とを有し、
前記表示工程では、さらに、前記記憶部に登録された前記第１のタイプのジョブの設定データを呼び出すための第３のオブジェクトと、前記記憶部に登録された前記第２のタイプのジョブの設定データを呼び出すための第４のオブジェクトとをさらに表示し、
前記第１のオブジェクト、前記第２のオブジェクト、前記第３のオブジェクト、及び前記第４のオブジェクトは、同じ画面に表示されることを特徴とするジョブ処理装置の制御方法。
【請求項８】
請求項７に記載されたジョブ処理装置の制御方法を、コンピュータに実行させるためのプログラム。
【発明の詳細な説明】
【技術分野】
【０００１】
本発明は、ジョブ処理装置、ジョブ処理装置の制御方法、及びプログラムに関するものである。
【背景技術】
【０００２】
複数のアプリケーションを実行して、各種のデータ処理を行う画像処理装置において、ユーザが実行したアプリケーションに対応する設定データを保存する機能を備えるものがある。下記特許文献１には、各アプリケーションに対するデフォルト値を自動設定するユーザインタフェースとアプリケーションのカスタマイズ処理が記載されている。
【先行技術文献】
【特許文献】
【０００３】
【特許文献１】特開平８−２９２８６４号公報
【発明の概要】
【発明が解決しようとする課題】
【０００４】
画像処理装置を使用するユーザの大多数は、実行するアプリケーションに対して設定するパターンが数少ない。特にアプリケーション毎に考えると、更にその設定パターンは少なくなるにも関わらず、毎回設定し直す必要がある。
この毎回設定を回避するために、設定を登録できる機能（デフォルト設定値変更／カスタムメニュー／モードメモリなど）が提案されているが、ユーザは、わざわざ設定登録しない。
【０００５】
一方、ユーザによるアプリケーションに対する設定登録の手間をなくし、特許文献１のようにユーザの意図を予測する提案されているが、ユーザが画像沿処理装置にどんな設定がなされているか分からなくなる可能性がある。
【０００６】
また、画像処理装置が勝手に設定を登録する機能（コールなど）は、上記の課題を解決可能に見えるが、過去の設定を自動で記録する場合、登録場所が動的に変わったり、登録そのものが無くなったりしてしまう場合があり、画像処理装置に対する操作性と利便性が損なわれる。
【０００７】
本発明は、上記の課題を解決するためになされたもので、本発明の目的は、第１の機能を呼び出すための第１のオブジェクトと、第２の機能を呼び出すための第２のオブジェクトと、第１のタイプのジョブの実行に従って記憶部に登録された第１のタイプの設定データを呼び出すための第３のオブジェクトと、第２のタイプのジョブの実行に従って記憶部に登録された第１のタイプの設定データを呼び出すための第４のオブジェクトを同じ画面に表示できる仕組みを提供することである。
【課題を解決するための手段】
【０００８】
上記目的を達成する本発明のジョブ処理装置は以下に示す構成を備える。
複数の機能を有するジョブ処理装置であって、第１の機能に対応する第１のタイプのジョブ及び第２の機能に対応する第２のタイプのジョブを実行する実行手段と、前記第１のタイプのジョブの実行に従って、前記第１のタイプのジョブの設定データを記憶部に登録する第１の登録手段と、前記第２のタイプのジョブの実行に従って、前記第２のタイプのジョブの設定データを前記記憶部に登録する第２の登録手段と、前記第１の機能を呼び出すための第１のオブジェクトと、前記第２の機能を呼び出すための第２のオブジェクトを表示する表示手段とを有し、前記表示手段は、さらに、前記記憶部に登録された前記第１のタイプのジョブの設定データを呼び出すための第３のオブジェクトと、前記記憶部に登録された前記第２のタイプのジョブの設定データを呼び出すための第４のオブジェクトとをさらに表示し、前記第１のオブジェクト、前記第２のオブジェクト、前記第３のオブジェクト、及び前記第４のオブジェクトは、同じ画面に表示されることを特徴とする。
【発明の効果】
【０００９】
本発明によれば、第１の機能を呼び出すための第１のオブジェクトと、第２の機能を呼び出すための第２のオブジェクトと、第１のタイプのジョブの実行に従って記憶部に登録された第１のタイプの設定データを呼び出すための第３のオブジェクトと、第２のタイプのジョブの実行に従って記憶部に登録された第１のタイプの設定データを呼び出すための第４のオブジェクトを同じ画面に表示できる。
【図面の簡単な説明】
【００１０】
【図１】画像処理装置の構成を説明するブロック図である。
【図２】図１に示した操作部を示す平面図である。
【図３】表示部に表示されたＵＩ画面の一例を示す図である。
【図４】登録データの管理テーブルを示す図である。
【図５】表示部に表示されるユーザインタフェースの一例を示す図である。
【図６】アプリケーションの構成を説明する図である。
【図７】表示部に表示されるボタンの管理データを示す図である。
【図８】画像処理装置の制御方法を説明するフローチャートである。
【図９】画像処理装置の制御方法を説明するフローチャートである。
【図１０】画像処理装置の制御方法を説明するフローチャートである。
【図１１】画像処理装置の制御方法を説明するフローチャートである。
【図１２】登録された設定データを管理するテーブルを示す図である。
【図１３】表示部に表示されたＵＩ画面の一例を示す図である。
【発明を実施するための形態】
【００１１】
次に本発明を実施するための最良の形態について図面を参照して説明する。
＜システム構成の説明＞
〔第１実施形態〕
【００１２】
図１は、本発実施形態を示す画像処理装置の構成を説明するブロック図である。本例では、特定の機能に対応づけた複数のアプリケーションを実行して画像処理を行う画像処理装置として、複数のアプリケーションを備える。本実施形態の画像処理装置は、例えばコピーアプリケーション、ＦＡＸアプリケーション、Ｅｍａｉｌアプリケーションを実行可能な複合画像処理装置（ＭＦＰ）を例とする。つまり、アプリケーションが実行可能な特定の機能としては、プリント機能、コピー機能、ファクシミリ機能、Ｅｍａｉｌ機能を含む構成となっている。
【００１３】
図１において、制御部１は、ＭＦＰ１００の各ユニットの動作制御を行う。制御部１は、ＣＰＵ１０と、ＬＡＮ１１と、通信ユニット１２と、ＲＡＭ１３と、ＨＤＤ１４と、ＲＯＭ１５を備えている。ＣＰＵ１０は、制御部１全体を制御している。ＬＡＮ１１は、外部装置との間でデータのやり取りを行うためのネットワークを示し、このＬＡＮ１１を介してインターネットに接続されている。
通信ユニット１２は、ＬＡＮ１１を通してデータの送受信を行う。ＲＡＭ１３は、ＣＰＵ１０が動作するためのシステムワークメモリを提供している。１４はハードディスクドライブ（ＨＤＤ）で、例えば磁気ディスクや光学メディアやフラッシュメモリ等の記憶媒体であってもよい。
ＨＤＤ１４は、文書データや各アプリケーションに対応づけた設定データ等を後述するテーブル形式で格納することができるように構成されている。またＨＤＤ１４は、ＭＦＰ１００内に存在してなくてもよい。通信ユニット１２を介して、外部のサーバやＰＣ等を保存装置として利用しても良い。ＲＯＭ１５はブートＲＯＭであり、システムのブートプログラムを格納している。ＣＰＵ１０は、ＲＯＭ１５のブートＲＯＭにより、ＨＤＤ１４にインストールされているプログラムをＲＡＭ１３に展開し、そのプログラムに基づいて各種制御を行う。また、ＨＤＤ１４には、後述するリコールポータル画面３００の特定の領域に表示されるボタン群（自動登録されるボタン群）を管理するための特定領域が確保され、当該特定領域がファーストイン・ファーストアウト領域（ＦＩＦＯ領域）として使用される。
タイマ１６は、ＣＰＵ１０の指示に従って時間の経時処理を行い、指示された時間が経過すると、割り込みなどによりＣＰＵ１０に通知する。
【００１４】
操作部２０は、制御部１によって制御され、表示部２１と入力部２２を備えている。ここで、表示部２１は、ユーザに対して複合機の情報を表示するためのディスプレイである。入力部２２は、例えばタッチパネル、マウス、カメラ、音声入力、キーボード等のインターフェースを通してユーザからの入力を受け付ける。
また、表示部２１には、後述するユーザインタフェース（ＵＩ）画面を表示して、ユーザからの設定を受け付ける。
【００１５】
画像処理部３０は、制御部１によって制御され、画像解析部３１と、画像生成部３２と、画像出力部を具備している。画像解析部３１は、原稿画像の構造を解析し、解析結果から必要な情報を抽出する。画像生成部３２は、原稿を読み取ることで（例えば、スキャン）、その原稿の画像をデジタル化して画像データを生成してＨＤＤ１４に格納する。
また、画像生成部３２は、画像解析部３１が解析した情報を用いて、別のフォーマットの原稿画像データを生成することもできる。画像出力部３３は、ＨＤＤ１４等に格納されている画像データを出力する。この出力方法としては、例えば原稿の画像データを用紙に印刷したり、通信ユニット１２を介して、ネットワーク接続されている外部デバイス、サーバ、ファクシミリ装置などに送信したり、ＭＦＰ１００に接続されている記憶媒体に保存することが挙げられる。
【００１６】
図２は、図１に示した操作部２０を示す平面図である。
図２において、表示部２１は、本実施形態では、液晶表示部で構成され、液晶パネル上にタッチパネルシートが貼られており、操作画面およびソフトキーを表示するとともに、表示してあるキーがユーザの操作により押されるとその位置情報をＣＰＵ１０に伝える。従って、この場合の表示部２１は、入力部２２としても機能していることになる。
【００１７】
次にユーザにより操作される各種キーやボタンについて説明する。
スタートキー２０１は、原稿の読み取り動作の開始を指示する時などに用いられる。スタートキー２０１の中央部には、緑と赤の２色のＬＥＤ２０２があり、その色によってスタートキー２０１が使える状態にあるかどうかを示す。ストップキー２０３は、稼働中の動作を止める働きをする。テンキー２０４は、数字と文字のボタンで構成されており、コピー部数の設定や、表示部２１の画面切り替えなどを指示する。ユーザモードキー２０５は、機器の設定を行う場合に押下される。
次に、本実施形態に係るリコールポータル画面について説明する。
【００１８】
図３は、図２に示した表示部２１に表示されたＵＩ画面の一例を示す図である。本例は、リコールポータル画面の一例である。また、本ＵＩ画面では、それぞれの領域分割された各領域に後述するボタン群が配置されるように表示制御している。
図３において、リコールポータル画面３００は、ユーザの明確な指示により登録された固定設定領域３０１と、ジョブ実行時に後述するリコール機能により登録されるリコール設定領域３０２とからなる。
また、本実施形態では、固定設定は固定設定領域３０１に表示し、リコール設定はリコール設定表示領域３０２に表示するように制御することにより、それぞれの領域をユーザが容易に識別できるように構成されている。３０３〜３０７はボタンで、後述する図７に示すユーザの登録指示に従う設定画面にて、ユーザがあらかじめ固定設定する設定データを呼び出す際に押下される。３０８〜３１０はボタンで、本実施形態において、コールポータル４０１が自動設定した設定データに対応づけられている。特に、ボタン３０８は、Ｅｍａｉｌアプリケーション４０３に対応づけられた設定データで、特定のメールアドレス「ｙｏｓｉｄａ＠ｃａ…」が宛先として自動設定したい場合に押下される。ボタン３０９はコピーアプリケーション４０２に対応づけられた設定データ、例えばコピー部数が「１５」部で、両面、ステイプル等を選択したい場合に押下される。
ボタン３１０は、コピーアプリケーション４０２に対応づけられた設定データ、例えば白黒で、２ｉｎ１等を選択したい場合に押下される。なお、自動登録される設定データに対する処理（登録、削除）については後述する。また、本実施形態では、当該ＵＩ画面を操作するユーザが、表示される領域の違いや、表示するボタンの形状をそれぞれ異ならしめることで、視認性よくボタン操作を実行できるように構成している。
【００１９】
リコールポータル画面３００は、起動すると、まず固定設定領域３０１の表示のために、図４の（Ａ）に示す固定登録データ管理テーブル１２０１を読み込む。続いてリコールポータル画面３００）は、エントリ１２０２から順番にエントリ１２１０まで呼び出す。呼び出すたびに、ＣＰＵ１０は、アプリケーションＩＤを参照し、「０」ならば対応するボタンを表示部２１に表示しない制御を行う。また、アプリケーションＩＤが「０」以外なら、ＣＰＵ１０は、表示ＴＸＴを対応するボタンに表示する制御を行う。
次に、ＣＰＵ１０は、図４の（Ｂ）に示すアプリケーションアイコンテーブル１２１１から格納されている同じアプリケーションＩＤをもつエントリを探し、表示部２１に表示されたアイコンの所定の位置に表示する制御を行う。
リコールポータル画面３００では、ＣＰＵ１０が図４の（Ａ）に示す固定登録データ管理テーブル１２０１を全て処理する。次に、ＣＰＵ１０は、リコール設定表示領域３０２に表示するために、図５の（Ａ）に示すリコールデータ管理テーブル１１０１を読み込む。
リコールポータル画面３００は、エントリ１１０２から順次読み込む。呼び出すたびに、アプリケーションＩＤを参照し、「０」ならば対応するボタンを表示しない制御を行う。また、ＣＰＵ１０は、アプリケーションＩＤが「０」以外なら、表示ＴＸＴを対応するボタンに表示する制御を行う。
次に、ＣＰＵ１０は、図４の（Ｂ）に示すアプリケーションアイコンテーブル１２１１から格納されている同じアプリケーションＩＤをもつエントリを探し、アイコンの所定の位置に表示する制御を行う。
これにより、ＣＰＵ１０は、図５の（Ａ）のリコールデータ管理テーブル１１０１と図４の（Ａ）に示す固定登録データ管理テーブルを用いることで、表示部２１に、図３に示すＵＩ画面を表示することができる。
【００２０】
以降、説明の簡潔化のために、固定設定全体をさす場合、この固定設定領域３０１を用いて、固定設定３０１Ｓと表現する。同様に、リコール設定全体をさす場合、このリコール設定表示領域３０２を用いて、リコール設定３０２Ｓと表現する。
本実施形態では、固定設定３０１Ｓのボタン形状と、リコール設定３０２Ｓのボタン形状と異なるようにすることにより、ユーザがボタン形状によりそれぞれの領域を視覚的に識別できるように構成している。
【００２１】
固定設定３０１Ｓのボタンには、そのボタン押下により起動するアプリケーションのアイコンと、後述するユーザ設定登録画面でユーザにより指定されたボタンに、ユーザにより入力された名称を表示する。また、未登録のボタンは表示しない。
【００２２】
一方、ＣＰＵ１０は、リコール設定３０２Ｓのボタンに対して、そのボタン押下により起動するアプリケーションのアイコンと、後述する表示ＴＸＴ生成（Ｓ６０６）で生成される、設定のサマリを表現した文言を表示する表示する制御を行う。このリコール設定３０２Ｓのボタンは、ＣＰＵ１０が実行する後述するリコールデータ登録処理によって、生成・削除が行われる。
【００２３】
図６は、本実施形態を示す画像処理装置におけるアプリケーションの構成を説明する図である。なお、本例は、アプリケーションの登録シーケンスに対応する。なお、各アプリケーションは、ＣＰＵ１０により実行されることで、対応するデータ処理を行う。
図６において、リコールポータル４０１は、アプリケーションの一種であり、他のアプリケーションであるコピーアプリケーション４０２やＥｍａｉｌアプリケーション４０３、Ｆａｘアプリケーション４０４と連動して、動作する。
【００２４】
なお、各アプリケーションはアプリケーションＩＤで識別可能であり、それぞれ後述するリコールデータ登録構成図や設定データ管理テーブルに示すデータを保持している。
リコールポータル４０１は、操作部２０に表示されたボタンを押下されると、そのボタンに応じたリコールデータを呼出し、そのアプリケーションＩＤにアクションＩＤを送信する（４０６）。アプリケーションＩＤで指定されたアプリケーションは、受信したアクションＩＤに応じた設定データを読み出し、これを設定する。もちろん、このアプリケーションは、上記データのやり取りが可能であれば、どんなアプリケーションでもかまわない。
【００２５】
図７は、図１に示した表示部２１に表示されるユーザインタフェースの一例を示す図である。本例は、ユーザ設定登録画面の一例である。
図７において、固定設定登録画面５０１は、リコールポータル画面３００と同じ構成の固定設定領域３０１を持つ。リコールポータル画面３００と違う点は、未登録のボタン５０２，５０３，５０４，５０５も表示している点と、固定設定領域３０１内のいずれのボタンも押下により選択されるのみである点である。
Ｃａｎｃｅｌボタン５０６で登録は中止し、Ｎｅｘｔボタン５０７で次の固定設定登録画面５０８を表示する。
図７の（Ｂ）に示す固定設定登録画面５０８では、ボタンに表示する文言の入力を行う。
固定設定登録画面５０８には、入力内容を確認するエリア５０９と、入力を行うキーボード（ソフトキーボード）５１０を備える。そして、Ｂａｃｋボタン５１１の押下により、図７の（Ａ）に示す固定設定登録画面５０１を表示し、ＯＫボタン５１２により登録作業を完了する。
以下で、図３に示したＵＩ画面が表示部２１に表示された状態から、図６に示すコピーアプリケーション４０２で下記の新たなジョブが実行された場合を例にとって、図６から図１２を用いて詳細に説明する。
〔新たなジョブの例〕
ジョブ設定＝｛３部、カラーコピー、片面プリント、４ｉｎ１｝
なお、図１に示した画像出力部３３は、カラー画像をシートに片面または両面に対して印刷するエンジンを備えている。さらに、画像出力部３３は、画像生成部３２により、１ページに複数のページを割り付けて印刷するＮｉｎ１機能を備えている。ここで、Ｎは２、４、６、９等である。
【００２６】
本実施形態では、例としてコピーアプリケーション４０２で説明するが、もちろんＥｍａｉｌアプリケーション４０３や、Ｆａｘアプリケーション（４０４）、図４のやり取りが可能であれば、どんなアプリケーションで置き変えてもかまわない。
【００２７】
図８〜図１１は、本実施形態を示す画像処理装置のデータ処理方法を説明するフローチャートである。図８は、アプリケーションのジョブ完了処理の一例であって、図９〜図１１は、図６のＳ６０３、Ｓ６０５、Ｓ６０７の詳細手順に対応する。
より具体的には、図９は、リコールポータル４０１による既登録ＩＤリスト取得処理に対応する。また、図１０は、アプリケーションの設定データ格納処理に対応する。さらに、図１１は、リコールポータル４０１のリコールデータ登録処理に対応する。なお、図８〜図１１に示す各ステップは、ＣＰＵ１０がＨＤＤ１４等に記憶された制御プログラムをロードして実行することで実現される。
図１２は、図１に示したＨＤＤ１４で管理されるアプリケーションの設定データ管理テーブルの一例を示す図である。
【００２８】
コピーアプリケーション４０２はジョブが実行完了した時点でリコールポータルがジョブ完了処理を起動する（Ｓ６０１）。リコールポータル４０１がジョブ完了処理を開始すると、まず、リコールポータル４０１がアプリケーションＩＤを取得する（Ｓ６０２）。ここでは、リコールポータル４０１がコピーアプリケーション４０２のアプリケーションＩＤを取得する図９のＳ７０１に対応する処理を開始する。
具体的には、コピーアプリケーション４０２がアプリケーションＩＤをリコールポータル４０１の既登録ＩＤリスト取得ルーチンに送付する（Ｓ７０３）（図４の４０７）。これにより、コピーアプリケーション４０２が既に自分が登録しているアクションＩＤを取得する（Ｓ６０３）。
具体的には、図９に示すＳ７０１で処理を開始したら、リコールポータル４０１が既に自分が登録しているコピーアプリケーション４０２に対する設定を読み込む（Ｓ７０２）。そして、既に登録されたＩＤリスト（詳細は後述する）を要求元のコピーアプリケーション４０２に送付して（Ｓ７０３）、本処理を終了する（Ｓ７０４）。これにより、要求元のコピーアプリケーション４０２が既に登録されたＩＤリストを取得する（Ｓ６０３）。
次に、リコールポータル４０１がコピーアプリケーション４０２から取得したアクションＩＤに対応する設定データを読み出し、現在実行した設定データと同一であるかどうかＨＤＤ１４に登録された設定データを検索することにより判断する（Ｓ６０４）。ここで、現在実行した設定データと同一であるとリコールポータル４０１が判断した場合には、登録処理を行わずジョブ完了処理を終了する（Ｓ６０８）。
本実施形態において、同じ設定データがないと判断した場合は、後述するコピーアプリケーション４０２の設定データ格納処理ルーチン（図１０）を呼び出す。そして、リコールポータル４０１が図１２に示す設定データ１０１８を格納し（詳細は格納するＳ８０２〜Ｓ８０５）、アクションＩＤ＝０００５を得る（Ｓ６０５）。続いて、リコールポータル４０１が現在実行した設定データに基づいた表示用文言（表示ＴＸＴ）を生成する（Ｓ６０６）。このアクションＩＤと生成した表示ＴＸＴを、後述するリコールポータル４０１のリコールデータ登録処理（図１１に示すＳ９０１〜９０４）に送信して（Ｓ６０７）、本処理を終了する。
【００２９】
リコールポータル４０１は、図６に示すようにコピーアプリケーション４０２から既登録ＩＤリスト取得要求４０７を受けると、既登録ＩＤリスト取得ルーチン（Ｓ７０１〜Ｓ７０４）を起動する。
図９のＳ７０１の既登録ＩＤリスト取得では、図５に示したリコールデータ管理テーブル１１０１と図４に示した固定登録データ管理テーブル１２０１から要求元のアプリケーションＩＤを持つデータのアクションＩＤを集めて（Ｓ７０２）、要求元のコピーアプリケーション４０２に返信して（Ｓ７０３）、本処理を終了する（Ｓ７０４）。
本実施形態では、既登録ＩＤリストは、既登録ＩＤリスト＝｛０００１、０００２、０００３、０００４｝となる。
【００３０】
次に、Ｓ６０１で開始されたジョブ完了処理において、設定データ格納ルーチン（図１０に示すＳ８０１〜Ｓ８０６）を呼び出す（Ｓ６０５）。
具体的には、設定データ格納処理が開始されると（Ｓ８０１）、リコールポータル４０１が設定上限値に達しているかどうかを判断、例えば設定上限に達しているかどうかは、空いているエントリがあるかどうかで判断する（Ｓ８０２）。
ここで、リコールポータル４０１は、エントリが空いているかどうかについて、エントリの最初の項目が「０」であるか否かで判断する。空いているエントリがないと判断した場合には、何もせず終了する（Ｓ８０６）。
例えば、図１２の（Ａ）の場合、リコールポータル４０１は、エントリ１００７が空いているため、上限に達していないと判断し、そのエントリの番号をアクションＩＤとして生成する（Ｓ８０３）。そして、リコールポータル４０１は、エントリを更新し（Ｓ８０４）、図１２の（Ｄ）に示すように設定データ１０１８を格納して（Ｓ８０５）、本処理を終了する（Ｓ８０６）。
【００３１】
また、コピーアプリケーション４０２のジョブ完了処理ルーチンが、図６に示したコール登録要求（Ｓ６０７）を行うと、リコールポータル４０１は、図１１に示すリコールデータ登録処理ルーチンを開始する（Ｓ９０１）。
リコールデータ登録処理では、リコールポータル４０１が図５に示したリコールデータ管理テーブル１１０１から登録データを読み込む（Ｓ９０２）。具体的には、図５に示すリコールデータ管理テーブル１１０１に登録された最も古い登録のエントリ１１０２のアプリケーションＩＤ＝４０３とアクションＩＤ＝０００３を読み出す。そして、リコールポータル４０１は、アプリケーションＩＤ＝４０３を持つＥｍａｉｌアプリケーション４０３にアクションＩＤ＝０００３の登録を削除したことを通知（４０５）する。
この通知を受けたＥｍａｉｌアプリケーション４０３は、設定データ管理テーブル１００８のアクションＩＤ＝０００３に対応する図１２の（Ｂ）に示すエントリ１０１２を削除する。
図１１に示すリコールデータ登録処理では、図５に示すように、最後に削除したエントリ１１０２から順次エントリを移動させる。さらに、空いたエントリ１１０７に要求のあったアプリケーションＩＤ＝４０２とアクションＩＤ＝０００５、および表示ＴＸＴを登録して（Ｓ９０３）、本処理を終了する（Ｓ９０４）。
【００３２】
〔第２実施形態〕
本実施形態では、リコールポータル画面に、ユーザ設定ボタンではなく、アプリケーション起動ボタンを配置する。
【００３３】
図１３は、図２に示した表示部２１に表示されるＵＩ画面の一例を示す図である。本例は、リコールポータル画面１３００に対応する。
図１３では、コピーアプリケーション４０２を起動するボタン１３０３と、Ｅｍａｉｌアプリケーション４０３を起動するボタン１３０４、Ｆａｘアプリケーション４０４を起動するボタン１３０５を、アプリケーションボタン領域１３０４に配置している。なお、ボタン１３０６〜１３０８は、図３に示したボタン３０８〜３１０と同等である。
本実施形態によれば、リコールポータル画面１３００上で、ユーザが自動登録された設定データを利用するか、ユーザが選択するいずれかのアプリケーションを実行させるか、を自在に選択して指示することが可能となる。
【００３４】
本発明の各工程は、ネットワーク又は各種記憶媒体を介して取得したソフトウエア（プログラム）をパソコン（コンピュータ）等の処理装置（ＣＰＵ、プロセッサ）にて実行することでも実現できる。
【００３５】
本発明は上記実施形態に限定されるものではなく、本発明の趣旨に基づき種々の変形（各実施形態の有機的な組合せを含む）が可能であり、それらを本発明の範囲から除外するものではない。
【符号の説明】
【００３６】
３００  リコールポータル画面
３０１  固定設定領域
３０２  リコール設定表示領域
【図１】
2018133091.tif 000003
【図２】
2018133091.tif 000004
【図３】
2018133091.tif 000005
【図４】
2018133091.tif 000006
【図５】
2018133091.tif 000007
【図６】
2018133091.tif 000008
【図７】
2018133091.tif 000009
【図８】
2018133091.tif 000010
【図９】
2018133091.tif 000011
【図１０】
2018133091.tif 000012
【図１１】
2018133091.tif 000013
【図１２】
2018133091.tif 000014
【図１３】
2018133091.tif 000015